(57)【要約】【課題】電力供給を継続することによる充電部を露出させることなく、電力量計の交換作業を行い得るようにして、その交換作業の安全を確保することのできる接続アダプタを提供すること。【解決手段】配電線２０１〜２０３と引込電線２０４〜２０６の間に介装される電力量計１００に接続する接続アダプタ１０であって、配電線と引込電線に導通接続させる電力量計の入力端子１１１〜１１３と出力端子１１４〜１１６に対応する複数の端子ユニット１１を備えて、その端子ユニット毎に、その端子の一つに接続する導体ブロック２２と、その電線の一本を接続する導体ブロック２３と、これらの導体ブロックの差込穴２２ｂ、２３ａに差し込んで導通接続させる接続プラグ２９とを有するとともに、両端部の差込プラグ３４を差込穴２３ｂに差し込んで導体ブロック２３間を導通接続させるリード線３１〜３３を具備する。【選択図】図８
2008281541.tif 000002
【特許請求の範囲】
【請求項１】
電源からの商用電力を消費先に供給する配電線に設置されて当該消費電力を積算する電力量計に接続する接続アダプタであって、
電力量計側に接続する計器側端子と、配電線側を接続する電線側端子と、計器側端子および電線側端子の間の導通を接断する接断手段と、を備えることを特徴とする電力量計の接続アダプタ。
【請求項２】
前記電力量計が、商用電力を供給する電源側配電線と、該商用電力を消費する負荷装置に接続する引込側配電線と、の間に介装されて当該消費電力を積算するタイプの場合にも利用可能に、
前記電線側端子の入力側と出力側の間を導通接続してバイパスさせる接続手段を備えることを特徴とする請求項１に記載の電力量計の接続アダプタ。
【請求項３】
前記計器側端子とは別経路で電力量計の接続端子に電線側端子の入力側と出力側を導通接続してバイパスさせる接続手段を備えることを特徴とする請求項１に記載の電力量計の接続アダプタ。
【請求項４】
前記接続手段は、電力量計の接続端子と電線側端子の間を導通接続する自由に変形可能な導線を備えることを特徴とする請求項３に記載の電力量計の接続アダプタ。
【請求項５】
前記電力量計が接続端子の配列されている端子台を備えて、該接続端子が電線の延在方向の２箇所以上でネジ止めすることにより導通接続する構造に設計されているのに対して、
前記接続手段は、電力量計の端子台に着脱可能に位置決め固定する補助アダプタを備えており、
該補助アダプタは、電力量計の接続端子に接続可能な空間を開放する状態の端子台に位置決め固定可能に設計されているとともに、該端子台に位置決め固定されることにより該電力量計の接続端子のそれぞれに導通接続される複数の接続端子を有することを特徴とする請求項３または４に記載の電力量計の接続アダプタ。
【請求項６】
前記補助アダプタは、電力量計の端子台に位置決め固定されたときには、該電力量計の接続端子のネジ止め箇所の少なくとも１箇所以上を露出させるように設計されていることを特徴とする請求項５に記載の電力量計の接続アダプタ。
【請求項７】
前記補助アダプタは、接続端子から電線側端子に導通接続する自由に変形可能な導線を備えており、
計器側端子を電力量計の接続端子に接続する方向に対する横方向に該導線を引き出し延長させていることを特徴とする請求項５または６に記載の電力量計の接続アダプタ。
【請求項８】
商用電力を供給する電源側配電線と、該商用電力を消費する負荷装置に接続する引込側配電線と、の間に介装されて当該消費電力を積算する電力量計を交換する作業方法であって、
電力量計の接続端子の入力側と出力側のそれぞれに接続した計器側端子と、電源側配電線および引込側配電線のそれぞれに接続した電線側端子と、を準備して、
該計器側端子と電線側端子とを導通接続している状態から、当該電線側端子同士を導通接続して電源側配電線および引込側配電線を短絡させた後に、当該電線側端子と計器側端子の間の導通接続を切断し、
次いで、該計器側端子に入力側と出力側の接続端子を接続する電力量計を交換し、この後に、電線側端子同士の導通接続を外してバイパスを解消することを特徴とする電力量計の交換作業方法。
【請求項９】
電源からの商用電力を消費先に供給する配電線に設置されて当該消費電力を積算する電力量計を交換する作業方法であって、
電力量計側に接続する計器側端子と、配電線側を接続する電線側端子と、を準備して、
該計器側端子と電線側端子とを導通接続している状態から、当該電線側端子に交換する電力量計の接続端子を接続した後に、当該電線側端子と計器側端子の間の導通接続を切断し、
次いで、該計器側端子に接続端子を接続されていた電力量計を外して並列状態を解消し、電線側端子に接続されている電力量計の接続端子を当該計器側端子に接続した後に、当該電線側端子と計器側端子の間を導通接続させ、この後に、計器側端子に接続した電力量計の接続端子と電線側端子と間の導通接続を外すことを特徴とする電力量計の交換作業方法。
【発明の詳細な説明】
【技術分野】
【０００１】
本発明は、電力量計の接続アダプタおよび電力量計の交換作業方法に関し、詳しくは、電力量計の安全かつ容易な交換を実現するものに関する。
【背景技術】
【０００２】
従来、各家庭などの負荷装置に供給する商用電力は、その負荷装置の稼動による消費電力を電力量計により積算計測（計量）することによって課金することが行われており、この電力量計は、定期的に交換する必要がある。
【０００３】
この電力量計は、商用電力を供給する電線に直接接続されており、その交換作業は、商用電力の供給を停止した上で行っていた。しかるに、商用電力の供給先によっては、停電させるタイミングを作ることが難しいことから、電力供給を停止することなく、電力量計を交換することを実現する無停電交換端子台（接続アダプタ）が提案されている（例えば、特許文献１参照）。
【特許文献１】特開２００４−９５４０７号公報
【発明の開示】
【発明が解決しようとする課題】
【０００４】
しかしながら、このような従来の電力量計の無停電交換にあっては、電力量計に接続する接続端子間を短絡させることにより、商用電力の供給を確保した上で、その電力量計を交換することを実現している。このため、このような電力量計の無停電交換では、その交換作業中に、電力供給を継続する電線側に導通状態の接続端子が、所謂、充電部として露出する状態になって、感電や地絡短絡などを発生させてしまう可能性があり、危険である。
【０００５】
また、このような電力量計の無停電交換では、電力量計に導通接続する接続端子を短絡させることから、電力量計を経由することなく、商用電力の供給を継続することになり、その電力量計の交換作業中に消費される電力量を計量することができない、という不都合があった。
【０００６】
そこで、本発明は、商用電力の供給を継続することによる、所謂、充電部を露出させることなく、電力量計の交換作業を行い得るようにして、その電力量計の交換作業の安全を確保することのできる電力量計の接続アダプタおよび電力量計の交換作業方法を提供することを目的とする。また、電力量計の交換作業中の電力消費についても積算計測することのできる電力量計の接続アダプタおよび電力量計の交換作業方法を提供することを目的とする。
【課題を解決するための手段】
【０００７】
上記課題を解決する電力量計の接続アダプタの第１の発明は、電源からの商用電力を消費先に供給する配電線に設置されて当該消費電力を積算する電力量計に接続する接続アダプタであって、電力量計側に接続する計器側端子と、配電線側を接続する電線側端子と、計器側端子および電線側端子の間の導通を接断する接断手段と、を備えることを特徴とするものである。
【０００８】
この発明では、計器側と電線側の端子間を導通接続することにより、配電線から供給される電力消費を電力量計により積算することができる。この接続アダプタは、商用電力を供給する電源側配電線と、該商用電力を消費する負荷装置に接続する引込側配電線と、の間に介装されることなく、導通状態の電源側配電線および引込側配電線側に設置されて消費電力を積算するタイプ（直列に接続することなく取り付けるタイプ）の電力量計に適用することができる。そして、この電力量計の交換を行う際には、電線側端子の設置されている配電線は電力供給可能な経路が確保されているので、計器側と電線側の端子間の導通接続をそのまま切断することにより、電力量計の接続端子を接続する計器側端子を、所謂、充電状態のまま露出させることなく、電力供給の継続されている電線側から切り離すことができ、その上で、電力量計を交換することができる。この後に、計器側と電線側の端子間を導通接続することにより、電源からの電力供給を積算計測するように電力量計を復帰させることができる。したがって、配電線からの電力供給を確保しつつ、接続する計器側端子を充電状態のまま露出させることなく、電力量計を交換することができる。
【０００９】
上記課題を解決する電力量計の接続アダプタの第２の発明は、上記第１の発明の特定事項に加え、前記電力量計が、商用電力を供給する電源側配電線と、該商用電力を消費する負荷装置に接続する引込側配電線と、の間に介装されて当該消費電力を積算するタイプの場合にも利用可能に、前記電線側端子の入力側と出力側の間を導通接続してバイパスさせる接続手段を備えることを特徴とするものである。
【００１０】
この接続アダプタでは、電源側配電線と引込側配電線との間に介装されて消費電力を積算するタイプの電力量計にも適用することができる。すなわち、この電力量計の交換を行う際には、電源側配電線と引込側配電線の間に接続される電線側端子の入力側と出力側の間を導通接続してバイパスすることにより、配電線による電力供給を確保した上で、計器側と電線側の端子間の導通接続を切断してその計器側端子を充電状態のまま露出させることなく、電力供給の継続されている電線側から切り離すことができ、電力量計を交換することができる。この後に、計器側と電線側の端子間を導通接続した上で、電線側端子の入力側と出力側の間の導通接続（バイパス）を切断（解消）する。したがって、電源側配電線から引込側配電線への電力供給が電力量計を経由するように復帰させることができ、その電力消費を積算計測することができる。
【００１１】
上記課題を解決する電力量計の接続アダプタの第３の発明は、上記第１の発明の特定事項に加え、前記計器側端子とは別経路で電力量計の接続端子に電線側端子の入力側と出力側を導通接続してバイパスさせる接続手段を備えることを特徴とするものである。
【００１２】
この発明では、電力量計の交換を行う際に、電源側端子に新規に取り付ける交換予定の電力量計（新品に限らず、中古品でもよい）の接続端子を導通接続することができる。すなわち、電力量計が電源側配電線と引込側配電線との間に介装するタイプの場合には、その電源側配電線と引込側配電線の間に計器側端子とは別経路で新規の電力量計を並列状態に介在させる状態でバイパスさせることができる。また、電力量計が配電線に直列に接続することなく取り付けるタイプの場合には、計器側端子とは別経路で新規の電力量計を電線側端子に接続して並列状態に介在させる状態にすることができる。これにより、既設の電力量計と共に新規の電力量計により電力消費を積算することができ、計器側端子と電線側端子の間の導通接続を切断して既設の電力量計の計測を遮断したときには単独でその電力消費を新規の電力量計により積算計測することができる。この状態のまま、計器側端子が充電状態になることなく、既設の電力量計をその計器側端子から外して新規の電力量計を計器側端子に接続して交換した後に、計器側と電線側の端子間を導通接続して、電線側端子と電力量計の接続端子との導通接続を切断（解消）することにより、定常使用する回路に復帰させることができる。したがって、電力量計の交換作業中に供給する電力消費も積算計測することができる。
【００１３】
上記課題を解決する電力量計の接続アダプタの第４の発明は、上記第３の発明の特定事項に加え、前記接続手段は、電力量計の接続端子と電線側端子の間を導通接続する自由に変形可能な導線を備えることを特徴とするものである。
【００１４】
この発明では、既設の電力量計を新規の電力量計に交換する際に、電線側端子と新規の電力量計の接続端子とを導通接続する導線を自由変形させることにより、新規の電力量計を任意の場所に置いた状態で作業することができ、その仮置き場から新規の電力量計をそのまま本来の設置場所にその導線を変形させつつ移動させることができる。したがって、その導線を外すだけで電線側端子と新規の電力量計の接続端子との導通接続を解消して、定常使用する状態にすることができ、電力量計の交換作業を容易に完了することができる。
【００１５】
上記課題を解決する電力量計の接続アダプタの第５の発明は、上記第３または第４の発明の特定事項に加え、前記電力量計が接続端子の配列されている端子台を備えて、該接続端子が電線の延在方向の２箇所以上でネジ止めすることにより導通接続する構造に設計されているのに対して、前記接続手段は、電力量計の端子台に着脱可能に位置決め固定する補助アダプタを備えており、該補助アダプタは、電力量計の接続端子に接続可能な空間を開放する状態の端子台に位置決め固定可能に設計されているとともに、該端子台に位置決め固定されることにより該電力量計の接続端子のそれぞれに導通接続される複数の接続端子を有することを特徴とするものである。
【００１６】
この発明では、既設の電力量計を新規の電力量計に交換する際に、新規の電力量計の端子台に補助アダプタを位置決め固定するだけで、計器側端子との接続箇所（電力量計の端子台における本来の接続箇所）とは異なる箇所（別経路）から新規の電力量計と補助アダプタの接続端子同士を直接導通接続させることができる。この補助アダプタの接続端子は、電線側端子に導通接続することができ、この結果、電線側端子に新規の電力量計を接続することができる。そして、新規の電力量計の端子台に補助アダプタを取り付けた状態のまま、計器側端子をその端子台に接続し直す作業が妨げられることはなく、既設ものから新規のものに交換することができ、この後に、その補助アダプタを端子台から外すなどするだけで、電線側端子と新規の電力量計の接続端子が直接導通接続されている状態を解消して、定常使用する状態にすることができる。したがって、電力量計の交換作業をより容易に完了することができる。
【００１７】
上記課題を解決する電力量計の接続アダプタの第６の発明は、上記第５の発明の特定事項に加え、前記補助アダプタは、電力量計の端子台に位置決め固定されたときには、該電力量計の接続端子のネジ止め箇所の少なくとも１箇所以上を露出させるように設計されていることを特徴とするものである。
【００１８】
この発明では、既設の電力量計を新規の電力量計に交換する際に、電力量計の接続端子との接続箇所に差し込むなどした計器側端子を、その補助アダプタの取付領域から露出する少なくとも１箇所以上をネジ止めして信頼性高く導通接続することができ、この後に、その補助アダプタを端子台から外すなどした後に、残りの箇所をネジ止めすることにより、信頼性高く定常使用する状態にすることができる。したがって、電力量計の交換作業を信頼性高く導通接続する状態にして容易に完了することができる。
【００１９】
上記課題を解決する電力量計の接続アダプタの第７の発明は、上記第５または第６の発明の特定事項に加え、前記補助アダプタは、接続端子から電線側端子に導通接続する自由に変形可能な導線を備えており、計器側端子を電力量計の接続端子に接続する方向に対する横方向に該導線を引き出し延長させていることを特徴とするものである。
【００２０】
この発明では、新規の電力量計を本来の設置位置に移動させる際に、端子台に固定した補助アダプタからの導線の延長箇所が、その端子台の接続端子との接続箇所付近に接近して、その導線が電力量計の設置を邪魔してしまうことを回避することができる。したがって、電力量計の容易な交換作業を担保することができる。
【００２１】
上記課題を解決する電力量計の交換作業方法の第１の発明は、商用電力を供給する電源側配電線と、該商用電力を消費する負荷装置に接続する引込側配電線と、の間に介装されて当該消費電力を積算する電力量計を交換する作業方法であって、電力量計の接続端子の入力側と出力側のそれぞれに接続した計器側端子と、電源側配電線および引込側配電線のそれぞれに接続した電線側端子と、を準備して、該計器側端子と電線側端子とを導通接続している状態から、当該電線側端子同士を導通接続して電源側配電線および引込側配電線を短絡させた後に、当該電線側端子と計器側端子の間の導通接続を切断し、次いで、該計器側端子に入力側と出力側の接続端子を接続する電力量計を交換し、この後に、電線側端子同士の導通接続を外してバイパスを解消することを特徴としている。
【００２２】
この発明では、計器側と電線側の端子間が導通接続された状態で、電源側配電線から引込側配電線への電力供給が電力量計を経由することにより、その電力消費を積算計測することができ、その電力量計の交換を行う際には、電線側端子同士を導通接続することにより、電源側配電線から引込側配電線への電力供給を確保した上で、計器側と電線側の端子同士の導通接続を切断することにより、電力量計の接続端子に接続する計器側端子を電線側から切り離すことができ（所謂、充電状態のまま露出させることなく）、その上で、電力量計を交換することができる。この後に、計器側と電線側の端子同士を導通接続した上で、電線側端子同士の導通接続を切断（解消）することにより、電源側配電線から引込側配電電線への電力供給が電力量計を経由するように復帰させて、その電力消費を積算計測することができる。したがって、電源側配電線から引込側配電線への電力供給を確保しつつ、接続する端子を充電状態のまま露出させることなく、電力量計を交換することができる。
【００２３】
上記課題を解決する電力量計の交換作業方法の第２の発明は、電源からの商用電力を消費先に供給する配電線に設置されて当該消費電力を積算する電力量計を交換する作業方法であって、電力量計側に接続する計器側端子と、配電線側を接続する電線側端子と、を準備して、該計器側端子と電線側端子とを導通接続している状態から、当該電線側端子に交換する電力量計の接続端子を接続した後に、当該電線側端子と計器側端子の間の導通接続を切断し、次いで、該計器側端子に接続端子を接続されていた電力量計を外して並列状態を解消し、電線側端子に接続されている電力量計の接続端子を当該計器側端子に接続した後に、当該電線側端子と計器側端子の間を導通接続させ、この後に、計器側端子に接続した電力量計の接続端子と電線側端子と間の導通接続を外すことを特徴としている。
【００２４】
この発明では、電力量計の交換を行う際に、電源側端子に新規の電力量計の接続端子を導通接続することができる。すなわち、電力量計が電源側配電線と引込側配電線との間に介装するタイプの場合には、その電源側配電線と引込側配電線の間に計器側端子とは別経路で新規の電力量計を並列状態に介在させる状態でバイパスさせることができる。また、電力量計が配電線に直列に接続することなく取り付けるタイプの場合には、計器側端子とは別経路で新規の電力量計を電線側端子に接続して並列状態に介在させる状態にすることができる。これにより、既設の電力量計と共に新規の電力量計により電力消費を積算することができ、計器側端子と電線側端子の間の導通接続を切断して既設の電力量計の計測を遮断したときには単独でその電力消費を新規の電力量計により積算計測することができる。この状態のまま、計器側端子が充電状態になることなく、既設の電力量計をその計器側端子から外して新規の電力量計をその計器側端子に接続して交換した後に、計器側と電線側の端子間を導通接続して、電線側端子と電力量計の接続端子との導通接続を切断（解消）することにより、定常使用する回路に復帰させることができる。したがって、電力量計の交換作業中に供給する電力消費も積算計測することができる。
【発明の効果】
【００２５】
このように本発明によれば、配電線による電力供給を確保しつつ、電力量計の接続端子に接続する計器側端子を電線側端子から切り離すことにより、電力量計の交換作業中に露出する計器側端子を充電状態にすることなく、その交換作業を行うことができる。したがって、電力供給を停止することなく、また同時に、感電や地絡短絡などの事故の発生なく、電力量計の交換作業を安全に完了することができる。また、この電力量計の交換作業中に新規に取り付ける交換予定の電力量計を並列させることにより、電力量計の交換作業中の消費電力も積算して計測することができる。
【発明を実施するための最良の形態】
【００２６】
以下、本発明の最良の実施形態を図面に基づいて説明する。図１〜図８は、本発明に係る電力量計の交換作業方法の実行を容易にする接続アダプタの第１実施形態を示す図である。
【００２７】
図１において、接続アダプタ１０は、図２および図３に示す電力量計１００と、商用電源からの商用電力を供給する配電線（電源側配電線）２０１〜２０３（図６以降を参照）と、その商用電力を消費する負荷装置の設置されている各家庭などに接続する引込電線２０４〜２０６（図６以降を参照）と、に接続されており、配電線２０１〜２０３および引込電線（引込側配電線）２０４〜２０６の間に電力量計１００を介在させた状態にすることにより、商用電力の各家庭などの負荷装置への供給を確保するとともに、その負荷装置による電力消費を電力量計１００で積算計測（計量）することも実現する。
【００２８】
ここで、電力量計１００は、図２および図３に示すように、消費された供給電力を積算する本体部１０１と、商用電源と各家庭などの負荷装置との間の電線２０１〜２０６の途中に本体部１０１が介在するように接続する接続端子台１０２と、を備えている。この接続端子台１０２には、商用電源からの入力電線などを本体部１０１に接続する入力端子１１１〜１１３と、負荷装置側への出力電線などを本体部１０１に接続する出力端子１１４〜１１６と、が配設されており、この接続端子台１０２の端子１１１〜１１６は、例えば、電線の先端側の被覆を剥いだ導電線を差込可能に下端面側に差込穴１０２ａ（図１５（ａ）を参照）を開口させて、その差込穴１０２ａに差し込んだ導電線を２つの締付ネジ１２１、１２２でそれぞれ締め付けることにより導通接続させることができるようになっている。また、この接続端子台１０２は、絶縁カバー１０３を被せて覆うことにより外部に露出して感電・短絡事故が起こらないように設計されており、その絶縁カバー１０３は取付ネジ１０４をネジ穴１０５内に差し込んで螺合させることにより取り付けることができる。
【００２９】
接続アダプタ１０は、このような電力量計１００の接続端子台１０２の差込口１０２ａの下部に位置して対面するように設置されており、その接続端子台１０２の端子１１１〜１１６のそれぞれに対応する端子ユニット１１が絶縁ケース１２内に設置されている。なお、この接続アダプタ１０でも、端子ユニット１１の端子部分が外部に露出して導体などが不用意に差し込まれるなどすることにより感電・短絡事故を起こしてしまわないように、図示することは省略するが、絶縁カバーを被せてネジ穴１２ａに取付ネジを差し込んで螺合させることにより蓋をすることができるようになっている。
【００３０】
端子ユニット１１は、絶縁性を有する樹脂ケース２１内に２つの導体ブロック２２、２３を収容しており、この樹脂ケース２１は、絶縁性を確保する絶縁壁２１ａがその導体ブロック２２、２３の間に位置するように形成されている。
【００３１】
導体ブロック２２、２３は、それぞれ長さの異なる直方体に作製されており、それぞれ上下面に貫通して開口する２つの差込穴２２ａ、２２ｂ、２３ａ、２３ｂがその長さ方向に離隔する位置に穿孔形成されている。また、一方の導体ブロック２２には、一端側の被覆が剥がされて導電線２４ａの露出する接続用電線２４が導通接続されており、この接続用電線２４は、他端側に圧着接続させた接続端子２４ｂが雄ネジ２５によりネジ止めされて導通接続されている。他方の導体ブロック２３には、電線の先端側の被覆を剥いだ導電線を差込可能な差込穴２３ｃがその短尺側側面に穿孔形成（開口）されており、その上面側の２箇所に貫通刻設されている雌ネジに２本の雄ネジ２６、２７をそれぞれ螺合させてその差込穴２３ｃ内に露出させることにより、差し込んだ電線先端の導電線をネジ止めして導通接続させることができるようになっている。
【００３２】
また、樹脂ケース２１は、内部に収容する導体ブロック２２、２３の上面側の差込穴２２ａ、２２ｂ、２３ａ、２３ｂを外部に露出させる開口２１ｂがそれぞれ対応する箇所に形成されているとともに、その上面には、導体ブロック２３に螺合させる２本の雄ネジ２６、２７を差し込む作業用穴２１ｃが形成されている。さらに、この樹脂ケース２１には、導体ブロック２２の下面側に導通接続した接続用電線２４が外部に延長露出させることができるように切欠開口２１ｄが形成されているとともに、導体ブロック２３の短尺側側面の差込穴２３ｃを外部に露出させる開口２１ｅが形成されている。
【００３３】
そして、この端子ユニット１１は、図４に示すように、導体ブロック２２、２３の隣接する差込穴２２ｂ、２３ａに、樹脂製の把持部２９ａを把持して接続プラグ２９を差し込むことにより、その導体ブロック２２、２３を導通接続可能に設計されており、この接続プラグ２９を差し込む差込穴２２ｂ、２３ａに対応する樹脂ケース２１の開口２１ｂの縁部には目印となる肉盛２１ｆが形成されている。なお、この導体ブロック２２、２３の差込穴２２ａ〜２３ｂに差し込むプラグ類は、接続プラグ２９を含めて、差し込むだけで信頼性高く導通接続させることができるように、その差込側を、所謂、バナナプラグに作製されている。
【００３４】
また、この接続アダプタ１０は、図５に示すように、その導体ブロック２２、２３の差込穴２２ａ〜２３ｂに差込可能な差込プラグ３４を両端部に導通接続されているリード線３１〜３３を備えており、このリード線３１〜３３は、自由変形可能で十分な電流容量を有する電線であり、接続端子台１０２の端子１１１〜１１６毎に対応する端子ユニット１１の導体ブロック２２、２３間を導通接続させることができる。
【００３５】
これにより、この接続アダプタ１０の端子ユニット１１は、図６に示すように、配電線２０１〜２０３や引込電線２０４〜２０６の導電線（不図示）を導体ブロック２３の差込穴２３ｃ内でネジ止めして接続させることができるとともに、導体ブロック２２に導通接続されている接続用電線２４の導電線２４ａを電力量計１００の接続端子台１０２の差込穴１０２ａ内でネジ止めして端子１１１〜１１６にそれぞれ導通接続させることができ、その導体ブロック２２、２３の差込穴２２ｂ、２３ａに接続プラグ２９を差し込んで導通接続させることができる。
【００３６】
すなわち、この接続アダプタ１０の端子ユニット１１は、導体ブロック２２と接続用電線２４が電力量計１００の入力端子１１１〜１１３や出力端子１１４〜１１６を接続する計器側の入力端子や出力端子（計器側端子）を構成するとともに、導体ブロック２３が配電線２０１〜２０３や引込電線２０４〜２０６を接続する電線側の入力端子や出力端子（電線側端子）を構成しており、導体ブロック２２、２３と接続プラグ２９を介して電力量計１００の接続端子台１０２の端子１１１〜１１６に配電線２０１〜２０３と引込電線２０４〜２０６を通常通りに導通接続することができ、その配電線２０１〜２０３と引込電線２０４〜２０６の間に電力量計１００を介在させて商用電力の各家庭などへの電力供給を確保するとともに、その電力消費を電力量計１００で積算計測して課金することができる（接続アダプタ１０の介装により電力供給や課金が妨げられてしまうことがない）。
【００３７】
また、この接続アダプタ１０の端子ユニット１１は、接続プラグ２９を導体ブロック２２、２３の差込穴２２ｂ、２３ａに抜き差しすることによりその間の導通を接断する入力側と出力側の接断手段を構成するとともに、リード線３１〜３３が導体ブロック２２、２３の差込穴２２ａ〜２３ｂ内に差込プラグ３４を差し込んで導通接続させることのできる接続手段を構成しており、このリード線３１〜３３と共に接続プラグ２９を備えることにより後述する電力量計１００の交換作業方法を実行可能にしている。
【００３８】
次に、図６〜図９を用いて、接続アダプタ１０を利用しての電力量計１００の交換作業方法を説明する。
【００３９】
まず、電力量計１００を交換する際には、図７に示すように、その電力量計１００の接続端子台１０２の入力端子１１１〜１１３と出力端子１１４〜１１６のそれぞれに導通接続されている端子ユニット１１毎の導体ブロック２３の差込穴２３ｂに、それぞれ対応するもの同士を導通接続（短絡）させるようにリード線３１〜３３の差込プラグ３４を差し込んで電力供給可能な経路を確保する（バイパスする）。なお、このときには、配電線２０１〜２０３から引込電線２０４〜２０６に流れる電力は電力量計１００とリード線３１〜３３とに分流されて供給される。
【００４０】
この後に、図８に示すように、端子ユニット１１の導体ブロック２２、２３の差込穴２２ｂ、２３ａから接続プラグ２９を引き抜いて電気的に切り離すことにより、配電線２０１〜２０３から引込電線２０４〜２０６へのリード線３１〜３３を介する電力供給を確保しつつ、導体ブロック２２、２３間の導通接続を切断して、配電線２０１〜２０３から引込電線２０４〜２０６に流れる電力が導体ブロック２２側に行かないようにする。
【００４１】
次いで、図９に示すように、電力量計１００の接続端子台１０２の端子１１１〜１１６毎の締付ネジ１２１、１２２を緩めて端子ユニット１１の導体ブロック２２に接続されている接続用電線２４の導電線２４ａを差込口１０２ａから引き抜いて（通常は電力量計１００側を移動させる）、その既設の交換対象の電力量計１００を設置位置から取り外す。このときには、端子ユニット１１から露出する接続用電線２４の導電線２４ａに電圧が印加されていない状態であることから（所謂、充電状態のまま露出していないので）、不用意に触れたとしても感電したり、地絡短絡させるなどしてしまうことなく、作業を行うことができる。
【００４２】
そして、その端子ユニット１１から露出する接続用電線２４の導電線２４ａを、新規に取り付ける交換予定の電力量計１００の接続端子台１０２の差込穴１０２ａ内に差し込んで端子１１１〜１１６毎に締付ネジ１２１、１２２でネジ止めすることにより、図８に示す状態に戻して、この後には、手順を逆にして、端子ユニット１１の導体ブロック２２、２３の差込穴２２ｂ、２３ａに接続プラグ２９を差し込んで導通接続させることにより、図７に示す状態にした後に、その端子ユニット１１の導体ブロック２３の差込穴２３ｂからリード線３１〜３３の差込プラグ３４を引き抜いて、その導体ブロック２３同士の導通接続（短絡）を解消することにより、図６に示す通常使用する状態（回路）に戻して、この電力量計１００の交換作業を完了する。
【００４３】
このように本実施形態においては、電力量計１００の接続端子台１０２の端子１１１〜１１６を接続する導体ブロック２３の間を適宜導通接続して配電線２０１〜２０３から引込電線２０４〜２０６への電力供給を確保するのに加えて、配電線２０１〜２０３や引込電線２０４〜２０６を電力量計１００の端子１１１〜１１６に導通接続する導体ブロック２２、２３間を接続プラグ２９を引き抜いて切り離すことにより、配電線２０１〜２０３から引込電線２０４〜２０６への電力供給を継続するための充電部分が露出してしまうことなく、電力量計１００の交換作業を行うことができる。したがって、電力供給を停止することなく、また同時に、感電や地絡短絡などの事故の発生なく、電力量計１００の交換作業を安全に完了することができる。
【００４４】
次に、図１０〜図１３は、本発明に係る電力量計の交換作業方法の実行を容易にする接続アダプタの第２実施形態を示す図である。ここで、本実施形態は、上述実施形態と略同様に構成されているので、同様の構成には同一の符号を付して特徴部分のみを説明する（以下で説明する他の実施形態においても同様）。
【００４５】
図１０において、接続アダプタ３０は、２線用の電力量計３００を配電線４０１、４０２と引込電線４０４、４０５の間に介在させた状態にして、電力供給を確保するとともに電力消費を積算計測して課金することも実現することができるように設計されており、この接続アダプタ３０は、その電力量計３００の接続端子台３０２の入力端子３１１、３１２と出力端子３１４、３１５も２線用に配設されていることから、端子ユニット１１もその入力端子３１１、３１２と出力端子３１４、３１５に対応するように、絶縁ケース１２内に設置されている。
【００４６】
この接続アダプタ３０は、上述実施形態における接続アダプタ１０と同様に、電力量計３００の交換作業方法を実行することができ、図１０に示すように、電力量計３００の接続端子台３０２の端子３１１、３１２、３１４、３１５に、端子ユニット１１（導体ブロック２２、２３と接続プラグ２９）を介して配電線４０１、４０２と引込電線４０４、４０５とを導通接続して定常使用する状態から、図１１に示すように、その端子ユニット１１毎の導体ブロック２３の差込穴２３ｂにリード線３１、３２の差込プラグ３４を差し込んで、それぞれ対応するもの同士を導通接続（短絡）することにより電力供給する経路を確保することができる。
【００４７】
次いで、図１１に示すように、その端子ユニット１１の導体ブロック２２、２３の差込穴２２ｂ、２３ａから接続プラグ２９を引き抜いてその間の導通接続を切断することにより、配電線４０１、４０２から引込電線４０４、４０５に流れる電力により導体ブロック２２側の接続用電線２４の導電線２４ａが充電状態にならないようにしてから、図１２に示すように、電力量計３００を交換し、この後には、手順を逆にして、図１０に示す通常使用する状態に戻して、この電力量計３００の交換作業を完了する。
【００４８】
このように本実施形態においては、２線用の電力量計３００でも、上述実施形態と同様の作用効果を得ることができ、電力供給を停止することなく、また同時に、感電や地絡短絡などの事故の発生なく、電力量計３００の交換作業を安全に完了することができる。
【００４９】
次に、図１４〜図１９は、本発明に係る電力量計の交換作業方法の実行を容易にする接続アダプタの第３実施形態を示す図である。
【００５０】
図１４において、接続アダプタ１０のリード線３１〜３３は、電力量計１００の接続端子台１０２に一時的に取り付ける補助アダプタ４０が両端部の差込プラグ３４間に介装されており、その補助アダプタ４０の両端側から分断された状態でリード線３１ａ、３１ｂ、３２ａ、３２ｂ、３３ａ、３３ｂとして延長されている。
【００５１】
補助アダプタ４０は、絶縁カバー１０３用のネジ穴１０５を流用することによりその絶縁カバー１０３に代えて、電力量計１００の接続端子台１０２に取り付けることができるように設計されており、その接続端子台１０２の差込穴１０２ａの開口する下面側にリブ形状４１を当接させた状態にしつつ、ネジ穴１０５に固定用ネジ４２を差し込んで螺合させることにより位置決め固定することができるようになっている。なお、この補助アダプタ４０は、接続端子台１０２に取り付けた状態で、接続アダプタ１０（端子ユニット１１）の導体ブロック２２に導通接続させた接続用電線２４の導電線２４ａを差込穴１０２ａに差し込む作業をリブ形状４１が妨げてしまわないように、そのリブ形状４１が差込穴１０２ａの間に位置するように設計されている。
【００５２】
この補助アダプタ４０は、電力量計１００の接続端子台１０２に取り付けた状態のときに、その端子１１１〜１１６の本体部１０１側に近接する上側の締付ネジ１２１を露出させるのと同時に、その本体部１０１から離隔する下側の締付ネジ１２２を覆うように形成されている接続ブロック４３を備えており、この接続ブロック４３は、その端子１１１〜１１４、１１６毎の対応する箇所でその下側締付ネジ１２２を螺合させる電極部１２３に圧接して導通接続させることのできる接続接点（接続端子）５１〜５４、５６を内装して、この接続接点５１〜５４、５６にリード線３１ａ〜３３ｂがそれぞれ導通接続されている。ここで、接続接点５５は、後述するように電力量計１００の出力端子１１５に接続しなくても電力消費を積算計測可能であるので省略されている（配設してもよいことは言うまでもない）。
【００５３】
具体的には、接続接点５１〜５４、５６は、図１５に示すように、導電性と共に、ある程度の弾性力を有する電極板材料により作製されており、電力量計１００の接続端子台１０２の端子１１１〜１１４、１１６の下側締付ネジ１２２を螺合させるネジ穴の開口する電極部１２３に対面する対面部６１と、リード線３１ａ〜３３ｂのいずれかに導通接続されている接続部６２と、この対面部６１および接続部６２を両端部に形成されてその対面部６１を下方に押し付けることができる程度に弾性変形可能に形成されて取り付けられている導通部６３と、備えている。
【００５４】
そして、接続ブロック４３は、対面部６１の背面側に絶縁性と弾性力を有する樹脂製の押さえネジ４４が進退可能に螺合されており、この押さえネジ４４を締め付ける方向に螺合させることにより、取り付けた電力量計１００の接続端子台１０２の端子１１１〜１１４、１１６の電極部１２３にその押さえネジ４４が対面部６１を圧接させることができる。
【００５５】
また、この接続ブロック４３の接続接点５１〜５４、５６は、その対面部６１をリード線３１ａ〜３３ｂに導通させる接続部６２や導通部６３の大きさをその高さ方向や幅方向に調整することにより、リード線３１ａ〜３３ｂをそれぞれ側方から引き出すことができるようになっている。詳細には、接続端子台１０２の最外方に位置する端子１１１、１１４に対面部６１を圧接接続させる接続接点５１、５４の接続部６２と導通部６３は、図１４（ａ）および図１５（ａ）に示すように、本体部１０１に接近するとともにその接続端子台１０２に接近する箇所をリード線３１ａ、３１ｂが通過することができるように設計されており、この接続接点５１、５４毎の接続部６２がそのリード線３１ａ、３１ｂに導通接続されている。また、接続端子台１０２の中央部に位置する端子１１３、１１６に対面部６１を圧接接続させる接続接点５３、５６の接続部６２と導通部６３は、図１４（ａ）および図１５（ｃ）に示すように、本体部１０１から離隔するとともにその接続端子台１０２に接近する箇所をリード線３３ａ、３３ｂが通過することができるように設計されており、この接続接点５３、５６毎の接続部６２がそのリード線３３ａ、３３ｂに導通接続されている。さらに、接続端子台１０２のこれらの端子１１１、１１３の間に位置する端子１１２に対面部６１を圧接接続させる接続接点５２の接続部６２と導通部６３は、図１４（ａ）および図１５（ｂ）に示すように、本体部１０１から離隔するとともにその接続端子台１０２からも離隔する箇所をリード線３２ａ、３２ｂが通過することができるように設計されており、この接続接点５２のみの接続部６２がそのリード線３２ａ、３２ｂの双方に導通接続されている。ここで、接続端子台１０２の端子１１２、１１５は、電力量計１００における、所謂、中線に接続する端子であり、ここを流れる電流は消費電力として積算計測される訳ではないので、配電線２０１〜２０３と引込電線２０４〜２０６のバイパス（短絡）を確保するためにリード線３２ａ、３２ｂが直接導通接続されており、端子１１５への導通接続を省略していることから接続接点５４も省略している。なお、このリード線３２ａ、３２ｂを接続端子台１０２の入力端子１０２に接続接点５２により接続するのは、電力量計１００（電圧コイル）を機能させるために必要だからである。
【００５６】
これにより、補助アダプタ４０は、電力量計１００の接続端子台１０２に取り付けて接続ブロック４３の押さえネジ４４により接続接点５１〜５４、５６の対面部６１を端子１１１〜１１４、１１６の電極部１２３に圧接させて導通接続することにより、リード線３１ａ、３１ｂを接続端子台１０２の入力端子１１１と出力端子１１４に導通接続することができるとともに、リード線３３ａ、３３ｂを接続端子台１０２の入力端子１１３と出力端子１１６に導通接続することができ、また、リード線３２ａ、３２ｂ同士を導通接続しつつ接続端子台１０２の入力端子１１２に導通接続することができる。したがって、この補助アダプタ４０は、リード線３１ａ〜３３ｂの間に別個の電力量計１００を介在させることができ、そのリード線３１ａ〜３３ｂの端部の差込プラグ３４を、配電線２０１〜２０３および引込電線２０４〜２０６を電力量計１００の接続端子台１０２の端子１１１〜１１６に接続する接続アダプタ１０の複数の端子ユニット１１の導体ブロック２２、２３のうちの差込穴２３ｂに差し込んで導通接続することができる。
【００５７】
すなわち、リード線３１ａ〜３３ｂは、補助アダプタ４０を電力量計１００の接続端子台１０２に取り付けることにより、接続アダプタ１０（端子ユニット１１）の導体ブロック２２に導通接続されている接続用電線２４とは別経路の導体ブロック２３を介して、別個の電力量計１００の端子１１１〜１１４、１１６に配電線２０１〜２０３や引込電線２０４〜２０６を導通接続することのできる、自由変形可能な導線の接続手段を構成しており、接続アダプタ１０の接続されている電力量計１００の接続端子台１０２の入力端子１１１〜１１３と出力端子１１４〜１１６の間に別個の電力量計１００を並列に介装して、その入力端子１１１〜１１３と出力端子１１４〜１１６の間をバイパス（短絡）することにより流れる電力消費を積算計測（計量）することを可能にする。
【００５８】
そして、この補助アダプタ４０は、電力量計１００の接続端子台１０２に取り付けるとともに、リード線３１ａ〜３３ｂを接続アダプタ１０（端子ユニット１１）の導体ブロック２３の差込穴２３ｂに差し込んで導通接続させている状態のまま、そのリード線３１ａ〜３３ｂを負荷に応じて自由に屈曲変形させることにより、側方に延長された姿勢にしつつ（下方の接続アダプタ１０側に延長された状況になることなく）、その端子ユニット１１の導体ブロック２２に導通接続されている接続用電線２４の導電線２４ａを接続する電力量計１００の本来の設置位置に移動させることができる。
【００５９】
次に、図１６〜図１９を用いて、接続アダプタ１０と補助アダプタ４０を利用しての電力量計１００の交換作業方法を説明する。
【００６０】
まず、図６に示す状態から電力量計１００を交換する際には、図１６に示すように、新規の電力量計１００の接続端子台１０２の端子１１１〜１１６の下側締付ネジ１２２を外した状態で補助アダプタ４０を取り付けることにより、その入力端子１１１〜１１３と出力端子１１４、１１６の電極部１２３に接続ブロック４３の接続接点５１〜５４、５６の対面部６１を圧接させてそれぞれ導通接続する。また、既設の電力量計１００の接続端子台１０２に配設されている入力端子１１１〜１１３と出力端子１１４〜１１６にそれぞれ導通接続されている接続アダプタ１０の端子ユニット１１毎の導体ブロック２３の差込穴２３ｂに、その補助アダプタ４０のリード線３１ａ〜３３ｂの差込プラグ３４を差し込んで、そのリード線３１ａ、３１ｂを入力端子１１１と出力端子１１４に、また、リード線３３ａ、３３ｂを入力端子１１３と出力端子１１６に、さらに、短絡状態のリード線３２ａ、３２ｂを入力端子１１２に、導通接続する。すなわち、既設の電力量計１００の接続端子台１０２の入力端子１１１〜１１３と出力端子１１４〜１１６の間に、新規の電力量計１００の接続端子台１０２の入力端子１１１〜１１３と出力端子１１４、１１６を介装して電力供給可能な経路を確保するとともに、その電力消費を積算計測可能にバイパスする。
【００６１】
次いで、図１７に示すように、接続アダプタ１０の端子ユニット１１の導体ブロック２２、２３間を、導通接続していた接続プラグ２９をその差込穴２２ｂ、２３ａから引き抜いて電気的に切り離すことにより、新規の電力量計１００が介在するリード線３１ａ〜３３ｂを介して配電線２０１〜２０３から引込電線２０４〜２０６への電力供給は確保しつつ、導体ブロック２２、２３間の導通接続を切断することにより、配電線２０１〜２０３から引込電線２０４〜２０６に流れる電力が導体ブロック２２側（交換対象の電力量計１００側）に行かないようにする。
【００６２】
この後に、既設の電力量計１００の接続端子台１０２の締付ネジ１２１、１２２を緩めることにより、接続アダプタ１０の端子ユニット１１の導体ブロック２２に接続されている接続用電線２４の導電線２４ａを、その端子１１１〜１１６の差込穴１０２ａから引き抜いて、その既設の電力量計１００を設置位置から取り外す。このときには、端子ユニット１１から露出する接続用電線２４の導電線２４ａに電圧が印加されていない状態であることから（所謂、充電状態のまま露出していないので）、不用意に触れたとしても感電したり、地絡短絡させるなどしてしまうことなく、作業を行うことができる。
【００６３】
次いで、図１８に示すように、新規の電力量計１００の接続端子台１０２の上側締付ネジ１２１を緩めとともに、本来の設置位置に移動させて、接続アダプタ１０の端子ユニット１１の導体ブロック２２に接続されて露出する接続用電線２４の導電線２４ａをその端子１１１〜１１６の差込穴１０２ａに差し込んだ後にその上側締付ネジ１２１を締め付けることにより、その接続アダプタ１０（端子ユニット１１）の導体ブロック２２を導通接続する。このとき、補助アダプタ４０のリード線３１ａ〜３３ｂは、接続ブロック４３の側方から延長されて自由に屈曲変形することにより、下方の接続アダプタ１０の端子ユニット１１の導体ブロック２２側に重なって接続用電線２４の導電線２４ａを端子１１１〜１１６の差込穴１０２ａに差し込む際に邪魔になってしまうことがなく、また、上側締付ネジ１２１は、補助アダプタ４０の接続ブロック４３から露出する状態で容易に回転操作して螺合させることができ、信頼性高く締め付けてその導電線２４ａを端子１１１〜１１６に導通接続させることができる。
【００６４】
この後には、手順を逆にして、その端子ユニット１１の導体ブロック２２、２３の差込穴２２ｂ、２３ａに接続プラグ２９を差し込んで導通接続させた後に、その端子ユニット１１の導体ブロック２３の差込穴２３ｂからリード線３１ａ〜３３ｂの差込プラグ３４を引き抜くとともに、新規の電力量計１００の接続端子台１０２から補助アダプタ４０を外して、その端子１１１〜１１６の下側締付ネジ１２２を螺合させて端子ユニット１１の導体ブロック２２に接続されている接続用電線２４の導電線２４ａを確実に導通接続させた状態にすることにより、その電力量計１００の接続端子台１０２の端子１１１〜１１６と接続アダプタ１０の導体ブロック２３との直接の導通接続（電力量計１００が直接介在する状態）を解消することによって、図６に示す通常使用する状態に戻して、この電力量計１００の交換作業を完了する。
【００６５】
このように本実施形態においては、新規に取り付ける電力量計１００の接続端子台１０２に補助アダプタ４０を取り付けて、リード線３１ａ〜３３ｂを既設の電力量計１００を配電線２０１〜２０３と引込電線２０４〜２０６に接続する接続アダプタ１０の導体ブロック２３に導通接続することにより、電線２０１〜２０３から引込電線２０４〜２０６への電力供給を確保しつつ、そのリード線３１ａ〜３３ｂの間に新規の電力量計１００を介在させて、この電力量計１００の交換作業中の消費電力も積算計測することができる。したがって、上述第１実施形態による作用効果に加えて、交換作業中も電力供給を継続することによる電力消費を積算計測することができ、正確な電力消費に応じた課金をすることができる。
【００６６】
ここで、上述の第１〜第３実施形態のいずれでも、電源側からの商用電力を供給する電源側配電線２０１〜２０３、４０１、４０２と、その商用電力を各家庭などの負荷装置に接続する引込側配電線２０４〜２０６、４０４、４０５と、の間に介装することによりその負荷装置で使用する消費電力を積算計測する電力量計１００、３００を一例にして説明するが、これに限るものではなく、変圧器（ＶＴ）や変流器（ＣＴ）により構成される計器用変圧変流器（変成器ＶＣＴ）と組み合わせて使用する電力量計においても利用することができ、例えば、図２０に示すように、３相３線用の電力量計（単相３線用でもよく、また、２線用でも利用可能であることは言うまでもない）５００に適用することもできる。
【００６７】
具体的には、この電力量計５００は、上述の電力量計１００と同様に、消費された供給電力を積算する本体部１０１と、商用電力を供給する配電線２０１〜２０３側に接続させた接続電線５１１を接続する接続端子台１０２と、を備えている。この電力量計５００の本体部１０１は、商用電源からの配電線２０１〜２０３毎に準備されている接続端子Ｐ１〜Ｐ３に接続電線５１１を直接導通接続することにより電圧コイル５１３の介在する測定回路を形成するとともに、その配電線２０１〜２０３の第１線と第３線に流れる電流値を間接的に測定する変流器（変成器）５１５の接続端子１Ｓ、１Ｌ、３Ｓ、３Ｌに接続電線５１１を接続することにより電流コイル５１４の介在する測定回路を形成するようになっている。その接続電線５１１を接続する接続端子台１０２は、電圧用３線Ｐ１〜Ｐ３と電流用４線１Ｓ、１Ｌ、３Ｓ、３Ｌを接続端子５１１に接続する特殊な回路を形成するように、図２１に示すように、配電線２０１〜２０３側の接続端子Ｐ１〜Ｐ３、１Ｓ、１Ｌ、３Ｓ、３Ｌ毎の接続電線５１１を対応させてそれぞれ導通接続させる接続端子５１６を備えている。
【００６８】
そこで、この電力量計５００に適用する場合には、上述第３実施形態における接続アダプタ１０や補助アダプタ４０もその接続端子５１６に対応するように形成することにより、図２２に示すように、その接続アダプタ１０を電力量計５００の接続端子台１０２の差込口１０２ａの下部に位置して対面するように設置することにより、上述第３実施形態と同様に、補助アダプタ４０をその接続端子台１０２に取り付けることによりリード線間に介装させている新規の電力量計５００を並列させた後に交換することができる。
【００６９】
なお、この電力量計５００は、誤結線があったり、電流回路への配線を誤って外してしまうと、その変成器に絶縁破壊や焼損を発生させてしまう虞があることから、接続アダプタ１０と補助アダプタ４０のリード線のそれぞれに対応する色を付けるなどして誤結線を防止したり、また、その接続アダプタ１０の差込穴２３ａの並列間隔を、接続端子台１０２の接続端子５１６の均等間隔に合わせることなく、例えば、上述実施形態のように不均一間隔にするとともに補助アダプタ４０のリード線先端の差込プラグ３４をその不均一な並列間隔に一致するように樹脂などにより一体化させて一度に接断させるようにして誤って外してしまうことを防止するようにしてもよい。
【産業上の利用可能性】
【００７０】
これまで本発明の一実施形態について説明したが、本発明は上述の実施形態に限定されず、その技術的思想の範囲内において種々異なる形態にて実施されてよいことは言うまでもない。
【図面の簡単な説明】
【００７１】
【図１】本発明に係る電力量計の交換作業方法の実行を容易にする接続アダプタの第１実施形態を示す図であり、（ａ）はその概略全体構成を示す平面図、（ｂ）はその要部構成を示す縦断面側面図、（ｃ）はその下面図である。
【図２】その接続アダプタを取り付ける電力量計の一例を示す図であり、（ａ）はその外観平面図、（ｂ）はその外観側面図である。
【図３】その接続端子台を接続作業を可能に開放露出する状態を示す平面図である。
【図４】その接続アダプタの要部部品を示す分解縦断面図である。
【図５】その接続アダプタの要部部品を示す平面図である。
【図６】その接続アダプタの定常使用時の状態を示す概念回路図である。
【図７】その電力量計の交換方法を説明する図であり、その途中の状態を示す概念回路図である。
【図８】その電力量計の交換方法を説明する図であり、その図７に続く状態を示す概念回路図である。
【図９】その電力量計の交換方法を説明する図であり、その図８に続く状態を示す概念回路図である。
【図１０】本発明に係る電力量計の交換作業方法の実行を容易にする接続アダプタの第２実施形態を示す図であり、その接続アダプタの定常使用時の状態を示す概念回路図である。
【図１１】その電力量計の交換方法を説明する図であり、その途中の状態を示す概念回路図である。
【図１２】その電力量計の交換方法を説明する図であり、その図７に続く状態を示す概念回路図である。
【図１３】その電力量計の交換方法を説明する図であり、その図８に続く状態を示す概念回路図である。
【図１４】本発明に係る電力量計の交換作業方法の実行を容易にする接続アダプタの第３実施形態を示す図であり、（ａ）はその接続アダプタに付属する補助アダプタの概略全体構成を示す平面図、（ｂ）はその接続端子台に位置決め固定する取付構造を示すその（ａ）におけるＡ−Ａ透視側面図である。
【図１５】その補助アダプタのそれぞれ異なる位置に配設させている接続端子台の端子との導通接続を示す図であり、（ａ）は図１４（ａ）におけるＢ−Ｂ透視側面図、（ｂ）は図１４（ａ）におけるＣ−Ｃ透視側面図、（ｃ）は図１４（ａ）におけるＤ−Ｄ透視側面図である。
【図１６】その電力量計の交換方法を説明する図であり、その途中の状態を示す概念回路図である。
【図１７】その電力量計の交換方法を説明する図であり、その図１６に続く状態を示す概念回路図である。
【図１８】その電力量計の交換方法を説明する図であり、その図１７に続く状態を示す概念回路図である。
【図１９】その電力量計の交換方法を説明する図であり、その図１８に続く状態を示す概念回路図である。
【図２０】その第３実施形態を適用可能な電力量計を示すものであり、その電力量計の配電線側への設置を説明する概略接続回路図である。
【図２１】その電力量計の接続端子台の接続端子の配列を示す正面図である。
【図２２】その電力量計への接続アダプタの設置を説明する概略接続回路図である。
【符号の説明】
【００７２】
１０、３０……接続アダプタ    １１……端子ユニット    １２……絶縁ケース    ２１……樹脂ケース    ２１ａ……絶縁壁    ２１ｂ、２１ｅ……開口    ２１ｆ……肉盛    ２２、２３……導体ブロック    ２２ａ、２２ｂ、２３ａ、２３ｂ、２３ｃ……差込穴    ２４……接続用電線    ２４ａ……導電線    ２９……接続プラグ    ３１、３１ａ、３１ｂ、３２、３２ａ、３２ｂ、３３、３３ａ、３３ｂ……リード線    ３４……差込プラグ    ４０……補助アダプタ    ４１……リブ形状    ４２……固定用ネジ    ４３……接続ブロック    ４４……押さえネジ    ５１〜５４、５６……接続接点    ６１……対面部    ６２……接続部    ６３……導通部    １００、３００、５００……電力量計    １０１……本体部    １０２……接続端子台    １０３……絶縁カバー    １０４……取付ネジ    １０５……ネジ穴    １１１〜１１３……入力端子    １１４〜１１６……出力端子    １２１……上側締付ネジ    １２２……下側締付ネジ    １２３……電極部    ２０１〜２０３、４０１、４０２……配電線    ２０４〜２０６、４０４、４０５……引込電線    ５１１……接続電線    ５１３……電圧コイル    ５１４……電流コイル    ５１５……変流器    接続端子……５１６
【図１】
2008281541.tif 000003
【図２】
2008281541.tif 000004
【図３】
2008281541.tif 000005
【図４】
2008281541.tif 000006
【図５】
2008281541.tif 000007
【図６】
2008281541.tif 000008
【図７】
2008281541.tif 000009
【図８】
2008281541.tif 000010
【図９】
2008281541.tif 000011
【図１０】
2008281541.tif 000012
【図１１】
2008281541.tif 000013
【図１２】
2008281541.tif 000014
【図１３】
2008281541.tif 000015
【図１４】
2008281541.tif 000016
【図１５】
2008281541.tif 000017
【図１６】
2008281541.tif 000018
【図１７】
2008281541.tif 000019
【図１８】
2008281541.tif 000020
【図１９】
2008281541.tif 000021
【図２０】
2008281541.tif 000022
【図２１】
2008281541.tif 000023
【図２２】
2008281541.tif 000024